(57)【特許請求の範囲】
【請求項１】
露光開口が形成されたパック本体に、複数のシート状のフイルムユニットを重ねて収納してなるインスタントフイルムパックが装填されるフイルム装填室の背面に開閉自在に設けた裏蓋の内壁面に備えられ、前記パック本体の露光開口の形成面と対向する面に形成された押圧用開口を通して、フイルムユニットを露光開口側に押し付けるフイルム押さえ装置において、
フィルムユニットを押圧する一端側の押圧部が互いに逆向きになるように対向して配された一対のレバー部材と、前記レバー部材の他端側を回動自在に保持し、前記裏蓋の内壁面側に固定される保持枠と、前記一端が裏蓋側からフイルムユニット側へ回動する方向に前記レバー部材を付勢するバネとからなることを特徴とするフイルム押さえ装置。
【請求項２】
前記バネは、付勢力が強く、レバー部材を狭い回動範囲で付勢する強力バネと、付勢力が弱く、レバー部材を広い回動範囲で付勢する弱力バネとからなることを特徴とする請求項１記載のフイルム押さえ装置。
【請求項３】
複数の前記レバー部材と、それに対応する前記バネとを有することを特徴とする請求項１又は２記載のフイルム押さえ装置。
【請求項４】
前記保持枠は前記押圧用開口に合わせた外形状に形成されており、前記裏蓋が閉じられたとき、前記押圧用開口からパック本体の内部へ侵入することを特徴とする請求項１ないし３いずれか記載のフイルム押さえ装置。
【発明の詳細な説明】
【０００１】
【発明の属する技術分野】
本発明は、インスタントフイルムやインスタントカメラのフイルム装填蓋の内壁面に取り付けられ、インスタントフイルムを露光開口側へ押さえつけるフイルム押さえ装置に関するものである。
【０００２】
【従来の技術】
ハードコピーの記録媒体としてインスタントフイルムを用いるインスタントプリンタが公知であり、またインスタントプリンタを内蔵した電子スチルカメラが本出願人によって商品化されている。このインスタントプリンタは、ライン状の露光ヘッドをインスタントフイルムの感光面上で移動させ、赤色、緑色、青色の三色面順次で露光を与える。
【０００３】
このようなインスタントプリンタでは、モノシートタイプの自己現像処理型写真フイルムユニット（以下、単にフイルムユニットとする）を複数枚重ねて収納したインスタントフイルムパックが用いられる。フイルムユニットには、露光面側の端縁部に現像液を収めた現像液ポッドが設けられており、フイルムユニット単位で現像処理が施せるようになっている。そして、撮影を行う毎に、撮影済みのフイルムユニットがプリンタ本体の上面に設けられた取出し口から取り出される。このとき、フイルムユニットはプリンタ本体内の展開ローラ対の間を通され、これによって現像液ポッドが裂開して現像液が露光面に展延し、現像処理が施される。
【０００４】
インスタントフイルムパックは、樹脂製のパック本体にフイルムユニットを重ねて収納したもので、最も一般的なものでは、１０枚のフイルムユニットが収納されている。このようなインスタントフイルムパックを使用するインスタントプリンタでは、従来のインスタントカメラと同様に、フイルム装填室の背面に開閉自在に設けた裏蓋の内壁面に、パック本体の露光開口の形成面と対向する面に形成された押圧用開口からインスタントフイルムパック内に侵入して、フイルムユニットを露光開口側に押し付けるフイルム押さえ装置を備えている。このフイルム押さえ装置が積層されたフイルムユニットを露光開口側に押し付けることにより、フイルムユニットの平面性を確保している。
【０００５】
上述のフイルム押さえ装置は、例えば、特開平１０−３９４０５号公報に記載されているように、フイルムユニットに当接するフイルム押さえ部材と、このフイルム押さえ部材を、裏蓋の内壁面から突出させる方向に付勢させるねじりコイルバネと、これらを保持し、裏蓋の内壁に固定される保持部とからなり、パック本体の背面側に設けられた押圧用開口から前記フイルム押さえ部材が内部に侵入して、フイルムユニットを積層方向に沿って前面の露光開口側へ押圧する。
【０００６】
前述したように、撮影済みのフイルムユニットは撮影直後にカメラから排出されるため、撮影を繰り返す毎に移動部とフイルムユニットとの当接位置が前面側に変位する。フイルム押さえ部材は、フイルム装填室内に規定枚数である１０枚のフイルムユニットが収納されているときにフイルムユニットに当接する第１当接位置と、フイルムユニットの収納枚数が１枚になったときにフイルムユニットに当接する第２当接位置との間で変位する。上記特開平１０−３９４０５号公報記載のフイルム押さえ装置では、フイルム押さえ部材は、その移動方向における長さが、変位長、すなわち前述した第１当接位置と、第２当接位置との間の距離よりも長く構成されなくてはならない。このため、長尺なフイルム押さえ部材と付勢用のコイルバネとを退避させるためのスペースを広く確保しなくてはならない。したがって、これらを保持する保持部の突出方向の寸法が大きくなり、カメラ全体が厚くなりやすい。
【０００７】
そこで、特開２０００−１０１８３号公報に記載されているフイルム押さえ装置では、フイルムユニットに当接する第１の移動部（フイルム押さえ部材）と、第１の移動部を裏蓋から突出する方向に付勢するバネと、第１の移動部を出入り自在に収納するとともに、第１の移動部の突出にともなって突出方向に引き出される第２の移動部と、後端が裏蓋の内壁面に固定され、第２の移動部を出入り自在に収納する保持部とから構成している。これにより、２つの移動部の突出方向における長さを、変位長のほぼ半分の長さにすることができるようにし、これらを保持する保持部の長さを短くしている。
【０００８】
【発明が解決しようとする課題】
しかしながら、上述の特開２０００−１０１８３号公報に記載されているフイルム押さえ装置では、バネと移動部とが積層方向に直列に並ぶため、保持部を短くするうえでも限界があり、インスタントフイルムパックと裏蓋との間に、保持部の大部分を収納するためのスペースが必要となり、インスタントプリンタ全体の薄型化の妨げとなる。
【０００９】
本発明は上記事情を考慮してなされたもので、フイルムユニットを押圧するフイルム押さえ部材、及びそれを保持する保持部を小型化し、フイルムユニットの積層方向において、インスタントプリンタや、インスタントカメラのさらなる薄型化を図ることを可能にするフイルム押さえ装置を提供することを目的とする。
【００１０】
【課題を解決するための手段】
本発明は上記目的を達成するために、露光開口が形成されたパック本体に、複数のシート状のフイルムユニットを重ねて収納してなるインスタントフイルムパックが装填されるフイルム装填室の背面に開閉自在に設けた裏蓋の内壁面に備えられ、前記パック本体の露光開口の形成面と対向する面に形成された押圧用開口を通して、フイルムユニットを露光開口側に押し付けるフイルム押さえ装置において、フィルムユニットを押圧する一端側の押圧部が互いに逆向きになるように対向して配された一対のレバー部材と、前記レバー部材の他端側を回動自在に保持し、前記裏蓋の内壁面側に固定される保持部と、前記一端が裏蓋側からフイルムユニット側へ回動する方向に前記レバー部材を付勢するバネとから構成されている。なお、前記バネは、付勢力が強く、レバー部材を狭い回動範囲で付勢する強力バネと、付勢力が弱く、レバー部材を広い回動範囲で付勢する弱力バネとからなることが好ましい。また、複数の前記レバー部材と、それに対応する前記バネとを有することが好ましい。
【００１２】
なお、前記保持枠は前記押圧用開口に合わせた外形状に形成されており、前記裏蓋が閉じられたとき、前記押圧用開口からパック本体の内部へ侵入することが好ましい。
【００１３】
【発明の実施の形態】
図２及び図３は、本発明のフイルム押さえ装置を内蔵したインスタントプリンタ付き電子スチルカメラ（以下、単にプリンタ付カメラとする。）の正面側及び背面側の外観を示す斜視図である。このプリンタ付カメラ２は、イメージセンサで被写体画像を撮像し、その画像データをメモリに記憶し、前記メモリに記憶された画像をインスタントフイルムに露光し、ハードコピーを作成するものである。このプリンタ付カメラ２は略矩形状のカメラボディ３の一端側にグリップ４が形成されており、またグリップ４とは逆側の前面には、鏡胴部５が突出している。
【００１４】
鏡胴部５の前面には、撮影窓６、ストロボ発光部７が露呈されている。撮像窓６は透明なカバーガラスで覆われており、その奥には、撮影レンズと、シャッタ機構及び絞り機構と、撮影レンズを通過した被写体光が結像されるＣＣＤイメージセンサとが組み込まれている。ストロボ発光部７の内部にはフォトセンサが組み込まれており、ストロボ発光時に被写体から反射されてくるストロボ光を受光し、その光量積分値が適正レベルに達するとストロボ発光部７からのストロボ発光を停止させる。
【００１５】
グリップ４は、カメラボディ３の前面側から背面側にかけて回り込むように形成されており、グリップ４が形成される側のカメラボディ３の側面には、フイルム排出口８が設けられている。グリップ４の前面側及び背面側内部には、電源電池９を内蔵する電池室１１（図５参照）が設けられ、前面上方には、レリーズボタン１２が設けられている。レリーズボタン１２は、グリップ部を握持した右手人指し指で操作しやすいように、押圧面が傾斜して配置されている。
【００１６】
レリーズボタン１２を操作すると、ＣＣＤイメージセンサに結像されていた被写体光が撮像され、画像データに変換されて画像メモリに記録される。画像メモリは、カメラ２内に組み込まれており、内部処理用の専用形式の画像データが記録される。なお、画像メモリは、カメラ２内部に組み込まれるものだけではなく、カメラ２にカードスロットを設け、そのカードスロットに着脱可能にセットされるメモリカードに記録してもよい。
【００１７】
カメラボディ３の背面には、フイルム装填蓋１３が、上面には、ロック解除用ボタン１４が設けられている。図４に示すように、フイルムパック１６を装填したり、取り出したりするときには、ロック解除用ボタン１４を押圧操作し、フイルム装填蓋１３を開放する。フイルムパック１６は、図５に示すように、プラスチックで形成されたケース１７内に複数枚のフイルムユニット１８を積層して収納したものである。
【００１８】
フイルムユニット１８は，露光面１８ａと、現像液を内包した現像液ポッド１８ｂと、現像時に余分な現像液を吸収するトラップ部１８ｃとからなる。ケース１７の前面側にはフイルムユニット１８への露光範囲を規定する露光開口２０が形成されている。この露光開口２０は、未使用時に最上層のフイルムユニット１８の上に重ねられている遮光カバー（図示せず）により遮光されており、また、ケース１７の上部には撮影後のフイルムユニット１８が排出されるスリット状の排出口２２が形成されている。この排出口２２からはフイルムユニット１８の他、遮光カバーも排出される。
【００１９】
ケース１７の背面側には、一対の押圧用開口２３が設けらており、その内側には、フイルムユニット１８よりも一回り小さいサイズの遮光シート２４が取り付けられている。押圧用開口２３は、フイルムユニット１８排出方向に離して設けられており、排出方向と直交する方向に延びた矩形状に形成されている。この押圧用開口２３からは、後述するフイルム押さえ装置３４が侵入し、フイルムユニット１８を露光開口２０側に向けて押圧する。遮光シート２４は、ケース１７の背面側内壁面に固定されており、押圧用開口２３を塞いでフイルムパック１６内の遮光性を保っている。
【００２０】
図３に示すように、フイルム装填蓋１３の表面には、電源用のスイッチ２５、プリンタスタートキー２６、液晶表示パネル（ＬＣＤパネル）２７、操作パネル２８などが配置されている。ＬＣＤパネル２７はＣＣＤイメージセンサを通して撮像された被写体像をリアルタイムで表示し、いわゆる電子ビューファインダを構成している。操作パネル２８には、撮像／再生のモード切替キー、コマ選択キー、画像データの消去ボタン、画像データの入出力を行うための切替キー等が設けられている。
【００２１】
フイルム装填蓋１３は、一方の側端部に設けられたヒンジ２９が、カメラボディ３に軸着されて開閉自在とされている。ヒンジ２９とは反対側の内壁面には、係止部３１によって係止される被係止爪３２が形成されている。フイルム装填蓋１３の奥には、フイルムパック１６が装填されるフイルム装填室３３が設けられている。
【００２２】
フイルム装填室３３の奥側にはフイルムパック１６に収納されたフイルムユニット１８にプリントを行うプリント部と、露光済みのフイルムユニット１８をフイルム排出口８から排出するためのフイルム排出部とが組み込まれている。プリント部としては、図５、及び図６に示すようにフイルムユニット１８にプリント光を照射するプリントヘッド３５と、このプリントヘッド３５を移動させるヘッド走行機構３６等からなる。
【００２３】
プリントヘッド３５は、露光開口２０と対面するように組み込まれており、露光開口から露呈されるインスタントフイルムの露光面にプリントを行う。プリントヘッド３５は、フイルムユニット１８の搬送方向と直交する向きにドットセグメントの透過型液晶を多数配列した液晶アレイ３７と、これらにライン状の白色照明光を照射する発光体３８と、液晶アレイと発光体との間に設けられた赤色透過域、緑色透過域，青色透過域の３種類の区域を備えたカラーフィルタ３９とを内蔵している。カラーフィルタ３９は、プリントヘッド３５が露光面を１スキャンするごとに、順次に発光体と液晶アレイとの間に挿入される。これにより、プリントヘッド３５からは、赤色，緑色，青色のプリント光がフイルムユニット１８に向けて放射され、３色面順次でフルカラー画像が露光される。
【００２４】
ヘッド走行機構３６は、プリントヘッド３５をフイルムユニット１８の搬送方向に沿って一定速度で移動させ、プリントヘッド３５を露光面１８ａの全域に対面させる。このヘッド走行機構３６は、例えば走査用モータ４０，この走査用モータ４０で回転されるリードスクリュー４１，リードスクリュー４１の回転によってリードスクリュー４１の軸心（副走査方向）に移動する移動部材４２等からなり、露光ヘッド３５の一方の軸３５ａが移動部材４２に固定されている。これにより、走査用モータ４０が回転すると、プリントヘッド３５が副走査方向に移動される。
【００２５】
走査用モータ４０は、正逆両方向に回転可能なステッピングモータであり、正方向に回転した時に、プリントヘッド３５は、図３で実線で示す記録開始位置から副走査方向に移動され、二点鎖線で示す記録終了位置まで移動する。このプリントヘッド３５の副走査方向の１回の移動中に、フイルムユニット１８の露光面１８ａに１色の画像が１ラインずつ露光され、３回の移動により３色面順次でカラー画像が露光される。
【００２６】
フイルム排出部は、展開ローラ４４、及びクロー部材４５等から構成される。一対の展開ローラ４４は、３色の露光後に互いに異なる向きでフイルムユニット１８をフイルム排出口８から外部に送りだす方向に回転される。また、３色の露光後には、クロー部材４５が露光開口２０の端部に設けられた切欠き４６よりフイルムパック１６内に進入し、露光済みのフイルムユニット１８をフイルムパック１６より押し出す。これにより、露光済みのフイルムユニット１８が、回転中の展開ローラ４４に送り込まれ、この展開ローラ４４の回転でフイルム排出口８より排出される。フイルムユニット１８は、展開ローラ４４を通る間に、ポッド１８ｂ（図３参照）が破裂されて現像処理液が内部で展開され、排出された時には現像処理が完了する。
【００２７】
上記の展開ローラ４４，クロー部材４５等でフイルム排出部が構成されているが、このフイルム排出部の構成は、例えば特開平４−１９４８３２号公報などに記載されたように、従来のインスタントカメラに用いられているものと同じでよく、その機能も全く同一である。
【００２８】
フイルム装填蓋１３の内壁面の中央付近には、本発明のフイルム押さえ装置３４が設けられている。フイルム押さえ装置３４は、一対の押圧用開口２３に合わせた位置に設けられており、フイルム装填室３３にフイルムパック１６を装填してフイルム装填蓋１３を閉じた際に、押圧用開口２３を通してフイルムパック１６の内部に挿入される。フイルムパック１６内に挿入されたフイルム押さえ装置３４は、遮光シート２４を介してフイルムユニット１８を押圧し、押圧用開口２３と反対側の面に形成された露光開口２０にフイルムユニット１８を密着させる。これにより、インスタントフイルム１８の平面性が向上し、プリント画質が向上する。
【００２９】
フイルム押さえ装置３４は、詳しくは、図１の斜視図、及び図７の上面図、及び図８の側面図に示すように、一対のレバー部材４７と、レバー部材４７を保持し、フイルム装填蓋１３の内壁面側に固定される保持枠４８と、強力バネ４９と、弱力バネ５０とから構成される。なお、図面の煩雑化を防ぐため、図８では、強力バネ４９、及び弱力バネ５０を省略している。レバー部材４７は金属板を細長棒状に折り曲げ加工したものであり、その一方の端部には、遮光シート２４に当接し、フイルムユニット１８を遮光シート２４を介して押圧する押圧部４７ａが形成されている。押圧部４７ａは、フイルムユニット１８を傷付けないように滑らかな曲面となっている。レバー部材４７のもう一方の端部には、回動軸５１と回動自在に嵌合する嵌合穴４７ｂが形成されている。一対のレバー部材４７は、押圧部４７ａ及び嵌合穴４７ｂの位置が互いに逆向きになるように対向して保持枠４８に保持されている。
【００３０】
保持枠４８は、金属板を略矩形枠状に折り曲げ形成したものであり、一対の底板部５３と、底板部５３から垂直上方に屈曲し、回動軸５１の両端を保持する側板部５４とから構成される。また、保持枠４８の外形状は、押圧用開口２３に合わせて形成されている。底板部５３には、止めネジ５６に嵌合するネジ穴５７が複数箇所に形成されており、これにより、保持枠４８は、底板部５３がフイルム装填蓋１３にネジ止めされて固定されている。側板部５４には、回動軸５１に係合する係合穴５８が形成されている。回動軸５１は、レバー部材４７の嵌合穴４７ｂに嵌合するとともに、その両端が側板部５４の係合穴５８に係合し、さらに接着剤等が塗布されることにより、保持枠４８に固着されている。このように、回動軸５１を介して、保持枠４８に回動自在に保持されたレバー部材４７は、図８（Ａ）に示す第１の当接位置と、図８（Ｂ）に示す第２の当接位置との間で回動自在となっている。また、第２の当接位置では、一対のレバー部材４７が、底板部５３とほぼ平行になり、側板部５４の上縁までの範囲内に収納された状態となっている。なお、フイルム装填蓋１３への固定はネジ止めに限るものではなく接着剤の塗布による貼着、あるいは、フイルム装填蓋１３の内壁面が金属製である場合、保持枠４８をスポット溶接などにより溶着してもよい。
【００３１】
強力バネ４９及び弱力バネ５０はともに、ねじりコイルバネであり、回動軸５１に取り付けられ、レバー部材４７を回動軸５１を中心にして押圧部４７ａが図中上方側へ回動するように付勢する。これにより、押圧部４７ａが遮光シート２４を介してフイルムユニット１８を押圧する。
【００３２】
強力バネ４９と弱力バネ５０とは、付勢力とレバー部材４７を回動させる回動範囲とが互いに異なっている。強力バネ４９は、付勢力が強く、回動範囲が狭くなるように調整されており、弱力バネ５０は、付勢力が弱く、回動範囲が広くなるように調整されている。レバー部材４７が、第１の当接位置にあるときには、強力バネ４９の回動範囲を超えた位置にあり、弱力バネ５０の付勢力のみでフイルムユニット１８を押圧する。そして、レバー部材４７が、第２の当接位置にあるときには、強力バネ４９と弱力バネ５０の力量が最も大きいときであり、強力バネ４９と弱力バネ５０の両方の付勢力でフイルムユニット１８を押圧する。
【００３３】
上記構成の作用について以下に説明する。プリンタ付カメラ２のフイルム装填蓋１３を開放し、フイルム装填室３３を露呈する。フイルム装填蓋１３が開放された状態では、レバー部材４７の回動を阻むものが何もないので、レバー部材４７は、弱力バネ５０の付勢力により、第１の当接位置まで回動している。
【００３４】
フイルム装填室３３内に未使用のフイルムパック１６を装填してフイルム装填蓋１３を閉じると、フイルム押さえ装置３４が押圧用開口１６を通してフイルムパック１６内に侵入し、遮光カバー２４を介してフイルムユニット１８を露光開口２０側に押圧する。未使用のフイルムパック１６内には、１０枚のフイルムユニット１８が収納されているので、第１の当接位置にあるレバー部材４７が弱力バネ５０及び強力バネ４９の付勢力に抗して第２の当接位置まで押し戻される。これにより、強力バネ４９の強い付勢力と、弱力バネ５０の弱い付勢力の両方で押圧され、露光開口２０の背面側に位置決めされたフイルムユニット１８の露光面の平面性が保持される。また、第２の当接位置にあるとき、レバー部材４７は保持枠４８の側板部５４内に収納された状態にあり、さらに保持枠４８の外形状は、押圧用開口５３に合わせてあるので、フイルム押さえ装置３４は、押圧用開口２３からフイルムパック１６の内部へ、その全体が侵入する。
【００３５】
レリーズボタン１２を押し込むと、このシャッタレリーズに連動して遮光カバーの排出が行われる。遮光カバーは、展開ローラ４４間を経て、フイルム排出口８から排出される。遮光カバーが排出されると、この遮光カバーの厚み分だけレバー部材４７が回動する。これにより、フイルムユニット１８が前面側に押し出され、露光開口２０の背面側に未露光のフイルムユニット１８がセットされて撮影可能状態になる。
【００３６】
撮影のためにレリーズ操作が行われると、この度に、撮影済みのフイルムユニット１８がフイルム排出口８から排出される。そして、フイルムユニット１８の排出に伴ってフイルムパック１６内に収納されているフイルムユニット１８全体の積層厚みが薄くなっていくことに追従して、レバー部材４７が回動し、フイルムユニット１８を露光開口２０側に押し付ける。そして、フイルムユニット１８に残された収納枚数が少なく、例えば５枚以下になった場合、強力バネ４９がレバー部材４７を回動させる回動範囲を超えてしまうため、レバー部材４７は、強力バネ４９からの付勢力を受けなくなる。このように、フイルムユニット１８の収納枚数が少なくなった場合には、弱力バネ５０の付勢力だけで、フイルムユニット１８を押圧することになるが、枚数が少ない分、小さい付勢力で押さえ付けることができるので、弱力バネ５０の付勢力のみでフイルムユニット１８を露光開口２０側に密着させることができる。
【００３７】
撮影を繰り返し、フイルムユニット１８の収納枚数が１枚になったときに、レバー部材４７は、第１の当接位置まで回動する。弱力バネ５０は、フイルムユニットの残り枚数が１枚となったときでも、レバー部材４７を付勢して回動させるように、回動範囲を調整しているので、残り枚数が１枚のときでも、フイルムユニット１８を露光開口２０に密着させることができる。このように、強力バネ４９及び弱力バネ５０の２種類のねじりコイルバネを使うことにより、フイルムユニット１８の収納枚数に応じた付勢力で押圧することができるため、フイルムユニット１８の密着が不足したり、付勢力が強すぎてフイルムユニット１８に傷を付けることなどがない。
【００３８】
また、フイルムユニット１８を露光開口２０へさらに密着させるためには、図９に示すように、レバー部材４７を、回動軸５１に対して垂直な方向からややずらした角度で取り付けて、一対のレバー部材４７の押圧部４７ａを結ぶ線が、フイルムユニット１８の幅方向と平行になるように配置するとよい。また、図１０に示すように、一対のレバー部材４７を、中心付近の折り曲げ部４７ｃで互いに干渉しないように折り曲げて、同様に押圧部４７ａを結ぶ線が、フイルムユニット１８の幅方向と平行になるようしてもよい。
【００３９】
上記実施形態では、フイルム押さえ装置３４の配置は、押圧用開口２３に合わせ、互いに平行な位置でフイルム装填蓋１３に取り付けられており、さらに、フイルム押さえ装置３４では、一対のレバー部材４７が互いに対向するように保持部４８に保持されているが、フイルム押さえ装置３４及びレバー部材４７の配置は、これに限るものではなく、例えば、図１１又は図１２に示すような配置にしてもよい。図１１では、フイルム装填蓋１３に、４箇所のフイルム押さえ装置３４ａ、３４ｂ、３４ｃ、３４ｄが設けられており、フイルムユニット１８の幅方向と平行な方向から角度をずらして取り付けられいる。さらに、フイルム押さえ装置３４ａと３４ｂと、あるいは３４ｃと３４ｄとは、フイルムユニット１８の長手方向に対して線対称な配置になるようにそれぞれ配置されており、さらに、３４ａと３４ｃ、あるいは３４ｂと３４ｄとは、それぞれ平行になるように配置されている。これによって、押圧部４７ａの総面積が広くなり、フイルムユニット１８の全面に、より均等な力で押圧することが可能となるため、フイルムユニット１８の平面性が向上する。
【００４０】
また、図１２では、１つのフイルム押さえ装置３４に対して、１つだけのレバー部材４７を設けるようにし、さらに、互いに同じ向きで、かつフイルムユニット１８の幅方向と平行な方向から角度をずらした４箇所の位置にフイルム押さえ装置を設けている。この場合も、押圧部４７ａを結ぶ線がフイルムユニット１８の幅方向と平行になるように配置し、フイルムユニット１８の平面性を向上させることができる。
【００４１】
上記実施形態では、レバー部材４７が遮光シート２４に当接して、フイルムユニット１８を押圧しているが、本発明はこれに限るものではなく、図１３に示すように、一対のレバー部材と回動及びスライド自在に結合した押圧板６０を別部材として設け、この押圧板６０が遮光シート２４に当接してフイルムユニット１８を押さえつける形態としてもよい。この場合、図１３に示すフイルム押さえ装置６１は、一対のレバー部材６２ａ及び６２ｂと、押圧板６０と、保持枠４８と、強力バネ及び弱力バネとから構成されている。なお、図８と同一の部材については、同一の符号を付してその説明を省略する。また、図面の煩雑化を防ぐため、強力バネ及び弱力バネを省略しているが、上記実施形態と同様に回動軸５１に強力バネ及び弱力バネが取り付けられ、レバー部材６２ａ及び６２ｂを回動するように付勢している。
【００４２】
レバー部材６２ａの中心付近にはスライドピン６３が、レバー部材６２ｂには、スライドピン６３に対応する位置に長孔６４が形成されており、レバー部材６２ａ及び６２ｂは、たすき掛け状に交差するように連結している。押圧板６０は、細長の板状に形成されており、遮光シート２４に当接する押圧面６０ｂは平面に形成され、両端部には、レバー部材６２の一端に形成される結合ピンと、回動及びスライド自在に係合する長孔６５が形成されている。一対のレバー部材６２ａ及び６２ｂと連結した押圧板６０は、図９（Ａ）に示す第１の当接位置と、図９（Ｂ）に示す第２の当接位置との間で押圧面６０ｂが平行移動するように変位して、フイルムユニット１８を押圧する。これにより、上記実施形態のようなレバー部材の先端部分に形成された押圧部よりも、広い面積の押圧板で、フイルムユニット１８を露光開口側へ押し付けることができるので、フイルムユニット１８の平面性がさらに向上する。
【００４３】
また、上記実施形態では、インスタントプリンタ付きの電子スチルカメラに、本発明のフイルム押さえ装置を適用した例を示しているが、インスタントプリンタ単体でもよく、またインスタントカメラに用いてもよい。
【００４４】
【発明の効果】
上述のように、本発明によれば、一端がフイルムユニットを押圧するレバー部材と、前記レバー部材の他端側を回動自在に保持し、前記裏蓋の内壁面側に固定される保持枠と、前記一端が裏蓋側からフイルムユニット側へ回動する方向に前記レバー部材を付勢するバネとからなるフイルム押さえ装置を用いることによって、フイルムユニットの積層方向において、インスタントプリンタやインスタントカメラの薄型化を図ることができる。また、フイルムユニットを押圧する押圧板と、一端が前記押圧部と回動及びスライド自在に結合し、互いにたすき掛けに連結している一対のレバー部材と、前記一対のレバー部材の他端側を回動自在に保持し、前記裏蓋の内壁面側に固定される保持枠と、前記一端が裏蓋側からフイルムユニット側へ回動する方向に前記レバー部材を付勢するバネとからなるなるフイルム押さえ装置を用いることにより、フイルムユニットの平面性をさらに向上させることもできる。
【図面の簡単な説明】
【図１】本発明のフイルム押さえ装置を示す斜視図である。
【図２】電子スチルカメラの前面の外観を示す斜視図である。
【図３】電子スチルカメラの背面の外観を示す斜視図である。
【図４】フイルム装填蓋を開放した状態の電子スチルカメラを示す斜視図である。
【図５】フイルム装填室、及びフイルム装填蓋の要部を示す断面図である。
【図６】プリンタヘッド及びその走行機構を示す概略図である。
【図７】図１に示すフイルム押さえ装置の上面図である。
【図８】図１に示すフイルム押さえ装置の変位状態を示す説明図である。
【図９】第２の実施例を示すフイルム押さえ装置の上面図である。
【図１０】第３の実施例を示すフイルム押さえ装置の上面図である。
【図１１】フイルム押さえ装置の配置を図４と異なる配置に変更した例を示す説明図である。
【図１２】フイルム押さえ装置の配置の別の例を示す説明図である。
【図１３】第４の実施例を示すフイルム押さえ装置の説明図である。
【符号の説明】
２  インスタントプリンタ付き電子スチルカメラ
３  カメラボディ
１３  フイルム装填蓋
１６  フイルムパック
１７  ケース
１８  フイルムユニット
２０  露光開口
２３  押圧用開口
２４  遮光シート
３３  フイルム装填室
３４  フイルム押さえ装置
４７、６２ａ，６２ｂ  レバー部材
４７ａ、６０  押圧部
４８  保持枠
４９  強力バネ
５０  弱力バネ
５１  回動軸
【図１】
0003999449.tif 000002
【図２】
0003999449.tif 000003
【図３】
0003999449.tif 000004
【図４】
0003999449.tif 000005
【図５】
0003999449.tif 000006
【図６】
0003999449.tif 000007
【図７】
0003999449.tif 000008
【図８】
0003999449.tif 000009
【図９】
0003999449.tif 000010
【図１０】
0003999449.tif 000011
【図１１】
0003999449.tif 000012
【図１２】
0003999449.tif 000013
【図１３】
0003999449.tif 000014